(57)【要約】【課題】常時換気モードが選択されているにもかかわらず換気が不十分になってしまうのを回避する。【解決手段】室内の空気を室外に断続的または連続的に排出し続けるための常時換気モードと、室内の空気を加熱して循環させる暖房モードとを空調装置１０に設け、常時換気モードが選択されている時に暖房モードが選択された場合には、暖房運転時間を所定時間以上の値に設定するのが禁止される（ステップ１０２）。詳細には、常時換気モードが選択されている時に設定可能な最大暖房運転時間（ステップ１０８）が、常時換気モードが選択されていない時に設定可能な最大暖房運転時間（ステップ１０２）よりも短くされる。【選択図】        図３
2004353931.tif 000002
【特許請求の範囲】
【請求項１】
室内の空気を室外に断続的または連続的に排出し続けるための常時換気モードと、室内の空気を加熱して循環させる暖房モードとを具備する空調装置において、常時換気モードが選択されている時に暖房モードが選択された場合には、暖房運転時間を所定時間以上の値に設定するのが禁止されることを特徴とする空調装置。
【請求項２】
室内の空気を室外に断続的または連続的に排出し続けるための常時換気モードと、室内の空気を加熱して循環させる暖房モードとを具備する空調装置において、常時換気モードが選択されている時に設定可能な最大暖房運転時間を、常時換気モードが選択されていない時に設定可能な最大暖房運転時間よりも短くしたことを特徴とする空調装置。
【請求項３】
室内の空気を室外に断続的または連続的に排出し続けるための常時換気モードと、室内の空気を加熱して循環させる暖房モードとを具備する空調装置において、暖房モードが選択されている時に常時換気モードが選択された場合には、常時換気モードが選択される前に設定された暖房運転時間が短縮されることを特徴とする空調装置。
【請求項４】
室内の空気を室外に断続的または連続的に排出し続けるための常時換気モードと、室内の空気を加熱して循環させる暖房モードとを具備する空調装置において、暖房モードが選択されている時に常時換気モードが選択された場合には、常時換気モードが選択されない場合よりも暖房運転中の換気量を増加させることを特徴とする空調装置。
【請求項５】
暖房運転中に換気運転を間欠的に実行することにより、常時換気モードが選択されない場合よりも暖房運転中の換気量を増加させることを特徴とする請求項４に記載の空調装置。
【請求項６】
暖房運転中に室内の空気の一部を室外に排出することにより、常時換気モードが選択されない場合よりも暖房運転中の換気量を増加させることを特徴とする請求項４に記載の空調装置。
【発明の詳細な説明】
【０００１】
【発明の属する技術分野】
本発明は、常時換気モードと暖房モードとを具備する空調装置に関し、特には、常時換気モードが選択されているにもかかわらず換気が不十分になってしまうのを回避することができる空調装置に関する。
【０００２】
【従来の技術】
近年、住宅構造の高気密化が進んでおり、その結果、住宅内に利用されているクロス、床材などの建材から放出されるホルムアルデヒドやＶＯＣ（Ｖａｐｏｒ  Ｏｒｇａｎｉｃ  Ｃｏｍｐｏｓｉｔｉｏｎ）等の揮発性物質により、シックハウス等が問題となっている。また、住宅構造の高気密化により、浴室等でカビが発生し易くなっている。それらの問題点を解決するために、十分な換気を行うことができる空調装置が望まれている。
【０００３】
そのような空調装置として、従来、室内の空気を室外に断続的または連続的に排出し続けるための第２換気モード（常時換気モード）と、室内の空気を加熱して循環させる暖房モードとを具備する空調装置が知られている。この種の空調装置の例としては、例えば特開平１１−１４１１０号公報に記載されたものがある。
【０００４】
特開平１１−１４１１０号公報に記載された空調装置では、第２換気モード（常時換気モード）を選択することにより浴室が常時換気され、一方、暖房モードを選択することにより浴室暖房が行われるようになっている。
【０００５】
ところが、特開平１１−１４１１０号公報に記載された空調装置では、十分な換気を常時行いたいというユーザーのニーズに応えるべく第２換気モード（常時換気モード）が設けられているにもかかわらず、第２換気モード（常時換気モード）が選択されている時に暖房モードが選択された場合には、第２換気モード（常時換気モード）よりも暖房モードが優先して実行されてしまう。
【０００６】
つまり、特開平１１−１４１１０号公報に記載された空調装置では、第２換気モード（常時換気モード）が選択されている時に暖房モードが選択された場合には、換気運転が中断され、次いで、第２換気モード（常時換気モード）が選択されず、かつ、暖房モードのみが選択されている場合と同様に、暖房運転が行われてしまう。
【０００７】
そのため、特開平１１−１４１１０号公報に記載された空調装置では、十分な換気を常時行いたいというユーザーによって第２換気モード（常時換気モード）が選択されているにもかかわらず、例えば、長時間にわたって換気運転を中断して暖房運転が行われる場合に、換気が不十分になってしまうおそれがある。
【０００８】
一方、特開平１１−１４１１０号公報に記載された空調装置では、暖房モードが選択されている時に第２換気モード（常時換気モード）が選択された場合には、まず、暖房モードのみが選択されている場合と同様に暖房運転が行われ、暖房運転が終了すると、次いで、換気運転が開始される。
【０００９】
そのため、特開平１１−１４１１０号公報に記載された空調装置では、十分な換気を常時行いたいというユーザーによって第２換気モード（常時換気モード）が選択されているにもかかわらず、例えば、長時間にわたって暖房運転が行われ、換気運転が開始されない場合に、換気が不十分になってしまうおそれがある。
【００１０】
換言すれば、特開平１１−１４１１０号公報に記載された空調装置では、十分な換気を常時行うために第２換気モード（常時換気モード）を選択したユーザーの行為が無視されてしまうおそれがある。
【００１１】
また、特開平１１−１４１１０号公報に記載された空調装置のように、第２換気モード（常時換気モード）よりも暖房モードを優先して実行してしまうと、例えば、長時間にわたって換気運転を中断して暖房運転が行われる場合や、長時間にわたって暖房運転が行われ、換気運転が開始されない場合に、換気対象エリア（例えば住宅全体の容積の０．５（回／ｈ）の換気等）の必要な換気量を満足できず計画換気が行えなくなってしまうという恐れがある。
【００１２】
【特許文献１】
特開平１１−１４１１０号公報
【００１３】
【発明が解決しようとする課題】
前記問題点に鑑み、本発明は、常時換気モードが選択されているにもかかわらず換気が不十分になってしまうのを回避することができる空調装置を提供することを目的とする。詳細には、本発明は、常時換気モードが選択されているにもかかわらず、長時間にわたって換気運転を中断して暖房運転が行われるのに伴って換気が不十分になってしまうのを回避することができる空調装置を提供することを目的とする。更に、本発明は、常時換気モードが選択されているにもかかわらず、長時間にわたって暖房運転が行われ、換気運転が開始されないのに伴って換気が不十分になってしまうのを回避することができる空調装置を提供することを目的とする。
【００１４】
【課題を解決するための手段】
請求項１に記載の発明によれば、室内の空気を室外に断続的または連続的に排出し続けるための常時換気モードと、室内の空気を加熱して循環させる暖房モードとを具備する空調装置において、常時換気モードが選択されている時に暖房モードが選択された場合には、暖房運転時間を所定時間以上の値に設定するのが禁止されることを特徴とする空調装置が提供される。
【００１５】
長時間にわたって換気運転を中断して暖房運転が行われると換気が不十分になってしまうおそれがある点に鑑み、請求項１に記載の空調装置では、常時換気モードが選択されている時に暖房モードが選択された場合には、暖房運転時間を所定時間以上の値に設定するのが禁止される。つまり、常時換気モードが選択されている時に暖房モードが選択された場合には、長時間にわたって換気運転を中断して暖房運転が行われるのが禁止される。そのため、常時換気モードが選択されているにもかかわらず、長時間にわたって換気運転を中断して暖房運転が行われるのを回避することができる。すなわち、常時換気モードが選択されているにもかかわらず、長時間にわたって換気運転を中断して暖房運転が行われるのに伴って換気が不十分になってしまうのを回避することができる。
【００１６】
請求項２に記載の発明によれば、室内の空気を室外に断続的または連続的に排出し続けるための常時換気モードと、室内の空気を加熱して循環させる暖房モードとを具備する空調装置において、常時換気モードが選択されている時に設定可能な最大暖房運転時間を、常時換気モードが選択されていない時に設定可能な最大暖房運転時間よりも短くしたことを特徴とする空調装置が提供される。
【００１７】
長時間にわたって換気運転を中断して暖房運転が行われると換気が不十分になってしまうおそれがある点に鑑み、請求項２に記載の空調装置では、常時換気モードが選択されている時に設定可能な最大暖房運転時間が、常時換気モードが選択されていない時に設定可能な最大暖房運転時間よりも短くされている。つまり、常時換気モードが選択されている時に暖房モードが選択された場合には、常時換気モードが選択されていない時に暖房モードが選択された場合よりも短い時間しか暖房運転を行うために換気運転を中断できないように構成されている。そのため、常時換気モードが選択されているにもかかわらず、長時間にわたって換気運転を中断して暖房運転が行われるのを回避することができる。すなわち、常時換気モードが選択されているにもかかわらず、長時間にわたって換気運転を中断して暖房運転が行われるのに伴って換気が不十分になってしまうのを回避することができる。
【００１８】
請求項３に記載の発明によれば、室内の空気を室外に断続的または連続的に排出し続けるための常時換気モードと、室内の空気を加熱して循環させる暖房モードとを具備する空調装置において、暖房モードが選択されている時に常時換気モードが選択された場合には、常時換気モードが選択される前に設定された暖房運転時間が短縮されることを特徴とする空調装置が提供される。
【００１９】
長時間にわたって暖房運転が行われ、換気運転が開始されない場合には、換気が不十分になってしまうおそれがある点に鑑み、請求項３に記載の空調装置では、暖房モードが選択されている時に常時換気モードが選択された場合には、常時換気モードが選択される前に設定された暖房運転時間が短縮される。つまり、暖房モードが選択されている時に常時換気モードが選択された場合には、早期に暖房運転が終了され、換気運転が開始される。そのため、常時換気モードが選択されているにもかかわらず、長時間にわたって暖房運転が行われ、換気運転が開始されないのを回避することができる。すなわち、常時換気モードが選択されているにもかかわらず、長時間にわたって暖房運転が行われ、換気運転が開始されないのに伴って換気が不十分になってしまうのを回避することができる。
【００２０】
請求項４に記載の発明によれば、室内の空気を室外に断続的または連続的に排出し続けるための常時換気モードと、室内の空気を加熱して循環させる暖房モードとを具備する空調装置において、暖房モードが選択されている時に常時換気モードが選択された場合には、常時換気モードが選択されない場合よりも暖房運転中の換気量を増加させることを特徴とする空調装置が提供される。
【００２１】
請求項５に記載の発明によれば、暖房運転中に換気運転を間欠的に実行することにより、常時換気モードが選択されない場合よりも暖房運転中の換気量を増加させることを特徴とする請求項４に記載の空調装置が提供される。
【００２２】
請求項６に記載の発明によれば、暖房運転中に室内の空気の一部を室外に排出することにより、常時換気モードが選択されない場合よりも暖房運転中の換気量を増加させることを特徴とする請求項４に記載の空調装置が提供される。
【００２３】
長時間にわたって暖房運転が行われ、換気運転が開始されない場合には、換気が不十分になってしまうおそれがある点に鑑み、請求項４〜６に記載の空調装置では、暖房モードが選択されている時に常時換気モードが選択された場合には、常時換気モードが選択されない場合よりも暖房運転中の換気量が増加せしめられる。つまり、暖房モードが選択されている時に常時換気モードが選択された場合には、暖房運転中に、換気運転も合わせて実行される。詳細には、例えば、暖房運転中に換気運転が間欠的に実行される。あるいは、例えば、暖房運転中に室内の空気の一部が室外に排出される。そのため、常時換気モードが選択されているにもかかわらず、長時間にわたって暖房運転が行われ、換気運転が全く行われないのを回避することができる。すなわち、常時換気モードが選択されているにもかかわらず、長時間にわたって暖房運転が行われ、換気運転が開始されないのに伴って換気が不十分になってしまうのを回避することができる。尚、「暖房モードが選択されている時に常時換気モードが選択された場合には、常時換気モードが選択されない場合よりも暖房運転中の換気量が増加せしめられる」空調装置には、例えば、暖房モードが選択されている時に常時換気モードが選択されない場合には換気が行われないのに対し、暖房モードが選択されている時に常時換気モードが選択された場合には換気が行われる空調装置も含まれる。
【００２４】
【発明の実施の形態】
以下、添付図面を用いて本発明の実施形態について説明する。
【００２５】
図１は本発明の空調装置の第１の実施形態の概略斜視図、図２は図１に示した空調装置の断面図である。図１および図２において、１０は空調装置、１２は空調装置１０のケーシング、１３は空調装置１０が適用された室内の空気を空調装置１０内に吸い込むための吸気口である。１４は空調装置１０内に吸い込まれた空気を室内に吹き出して循環させるための吹出口、１５は空調装置１０内に吸い込まれた空気を室外に排出するための排気口である。Ｄは空調装置１０内に吸い込まれた空気を室内に吹き出して循環させるか、あるいは、室外に排出するかを切り換えるためのダンパである。Ｆ１は室内の空気を空調装置１０内に吸い込み、その空気を室内に吹き出して循環させるか、あるいは、室外に排出するためのファンである。ＭはファンＦ１を駆動するためのモータである。Ｈは室内に吹き出して循環せしめられる空気を加熱するためのヒータである。Ｔは空調装置１０が適用される部屋の天井、ｔは空調装置１０を配置するために天井Ｔに形成された開口、ＴＨ，ＫＳは空調装置１０を天井Ｔに固定するためのネジ穴である。
【００２６】
第１の実施形態の空調装置では、室内の空気を加熱して循環させる暖房モードが設けられている。例えばユーザーにより、暖房モードが選択されると、暖房運転が開始される。詳細には、図２に示すように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱され、吹出口１４を介して室内に吹き出される。ユーザーに対しては、運転時間の設定が要求される。ユーザーが設定しない場合には、例えば１時間の運転時間が設定される。ユーザーは、例えば１０分から１２時間５０分の任意の運転時間を設定可能である。次いで、設定された運転時間が経過すると、暖房運転が停止される。また、設定された運転時間が経過する前においても、ユーザーの指示により、暖房運転を停止させることができる。
【００２７】
更に、第１の実施形態の空調装置では、室内の空気を室外に排出する換気モードが設けられている。例えばユーザーにより、換気モードが選択されると、換気運転が開始される。詳細には、図２に示すように、ダンパＤが破線で示す位置（Ｄ’）に配置される。次いで、ファンＦ１により吸気口１３を介して空調装置１０内に吸い込まれた空気が、破線で示す位置（Ｄ’）に配置されたダンパＤによって案内され、排気口１５を介して室外に排出される。ユーザーに対しては、運転時間の設定が要求される。ユーザーが設定しない場合には、例えば１時間の運転時間が設定される。ユーザーは、例えば１０分から１２時間５０分の任意の運転時間を設定可能である。次いで、設定された運転時間が経過すると、換気運転が停止される。また、設定された運転時間が経過する前においても、ユーザーの指示により、換気運転を停止させることができる。
【００２８】
更に、第１の実施形態の空調装置では、室内の空気の一部を加熱して循環させつつ、室内の空気の一部を室外に排出する乾燥モードが設けられている。例えばユーザーにより、乾燥モードが選択されると、乾燥運転が開始される。詳細には、図２に示すように、ダンパＤが一点鎖線で示す位置（Ｄ”）に配置される。次いで、ファンＦ１により吸気口１３を介して空調装置１０内に吸い込まれた空気の一部が、一点鎖線で示す位置（Ｄ”）に配置されたダンパＤによって案内され、ヒータＨによって加熱され、吹出口１４を介して室内に吹き出される。更に、ファンＦ１により吸気口１３を介して空調装置１０内に吸い込まれた空気の残りが、一点鎖線で示す位置（Ｄ”）に配置されたダンパＤによって案内され、排気口１５を介して室外に排出される。ユーザーに対しては、運転時間の設定が要求される。ユーザーが設定しない場合には、例えば１時間の運転時間が設定される。ユーザーは、例えば１０分から１２時間５０分の任意の運転時間を設定可能である。次いで、設定された運転時間が経過すると、乾燥運転が停止される。また、設定された運転時間が経過する前においても、ユーザーの指示により、乾燥運転を停止させることができる。
【００２９】
更に、第１の実施形態の空調装置では、室内の空気を加熱することなく循環させる涼風モードが設けられている。例えばユーザーにより、涼風モードが選択されると、涼風運転が開始される。詳細には、図２に示すように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱されることなく、吹出口１４を介して室内に吹き出される。ユーザーに対しては、運転時間の設定が要求される。ユーザーが設定しない場合には、例えば３時間の運転時間が設定される。ユーザーは、例えば１０分から１２時間５０分の任意の運転時間を設定可能である。次いで、設定された運転時間が経過すると、涼風運転が停止される。また、設定された運転時間が経過する前においても、ユーザーの指示により、涼風運転を停止させることができる。なお、この涼風モードにおいて、ダンパＤの位置をＤ’よりにして一部の空気を排気しながら、吹出口１４から室内へ吹き出し、空気が循環されるようにしてもよい。
【００３０】
更に、第１の実施形態の空調装置では、上述した暖房モード、換気モード、乾燥モード、および涼風モードの他に、室内の空気を室外に排出し続ける２４時間換気モード（常時換気モード）が設けられている。例えばユーザーにより、２４時間換気モード（常時換気モード）が選択されると、２４時間換気運転が開始される。詳細には、上述した換気モードと同様に、図２に示すように、ダンパＤが破線で示す位置（Ｄ’）に配置される。次いで、ファンＦ１により吸気口１３を介して空調装置１０内に吸い込まれた空気が、破線で示す位置（Ｄ’）に配置されたダンパＤによって案内され、排気口１５を介して室外に排出される。２４時間換気モード（常時換気モード）におけるファンＦ１の風量は、上述した換気モードにおけるファンＦ１の風量よりも低い値に設定されている。
【００３１】
第１の実施形態では、上述したように２４時間換気モード（常時換気モード）におけるファンＦ１の風量が、通常の換気モードにおけるファンＦ１の風量よりも低い値に設定されているが、他の実施形態では、２４時間換気モード（常時換気モード）におけるファンＦ１の風量と通常の換気モードにおけるファンＦ１の風量とを等しくすることも可能であり、２４時間換気モード（常時換気モード）におけるファンＦ１の風量を通常の換気モードにおけるファンＦ１の風量よりも多くすることも可能である。
【００３２】
第１の実施形態の空調装置では、ユーザーによって２４時間換気モード（常時換気モード）が選択された時に、ユーザーに対して、運転時間の設定は要求されない。２４時間換気運転は、ユーザーによって２４時間換気モードが解除された時、および、例えば停電などの非常時を除き、継続される。
【００３３】
上述したように、２４時間換気モード（常時換気モード）が選択されると、２４時間換気運転が継続して行われるため、２４時間換気モード（常時換気モード）と、他のモードとが競合して選択される場合が考えられる。
【００３４】
図３は第１の実施形態の空調装置において２４時間換気モード（常時換気モード）と暖房モードとが競合して選択される場合の制御方法を示したフローチャートである。
【００３５】
図３に示すように、このルーチンは、例えばユーザーによって「暖房運転」ボタンが押され、暖房モードが選択されると、開始する。ステップ１００では、２４時間換気運転中であるか否か、すなわち、暖房モードが選択される以前に２４時間換気モード（常時換気モード）が選択されているか否かが判断される。ＹＥＳの場合、つまり、２４時間換気モード（常時換気モード）が選択されている時に暖房モードが選択された場合には、ステップ１０１に進む。一方、ＮＯの場合、つまり、２４時間換気モード（常時換気モード）が選択されていない時に暖房モードが選択された場合には、ステップ１０７に進み、上述したような通常の暖房運転が行われる。
【００３６】
ステップ１０１では、暖房運転が開始される。詳細には、図２に示すように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱され、吹出口１４を介して室内に吹き出される。
【００３７】
次いで、ステップ１０２では、ユーザーに対して、暖房運転時間の設定が要求される。上述した通常の暖房運転においては、ユーザーは最大１２時間５０分の暖房運転時間を設定可能であるが、このステップでは、１時間０１分以上の暖房運転時間に設定することが禁止されている。つまり、ユーザーが設定することができる最大の暖房運転時間は１時間になっている。
【００３８】
次いで、ステップ１０３では、ステップ１０１において暖房運転が開始されてから、ステップ１０２において設定された暖房運転時間が経過したか否かが判断される。ＹＥＳの場合にはステップ１０５に進み、ＮＯの場合にはステップ１０４に進む。ステップ１０４では、ユーザーによって「暖房運転」ボタンが再び押されたか否か、つまり、暖房運転を停止すべき指示がユーザーから出されたか否かが判断される。ＹＥＳの場合にはステップ１０５に進み、ＮＯの場合にはステップ１０３に戻る。
【００３９】
ステップ１０５では、暖房運転が停止される。次いで、ステップ１０６では、２４時間換気運転が開始される。詳細には、上述したように、ダンパＤが破線で示す位置（Ｄ’）に配置される（図２参照）。次いで、ファンＦ１により吸気口１３を介して空調装置１０内に吸い込まれた空気が、破線で示す位置（Ｄ’）に配置されたダンパＤによって案内され、排気口１５を介して室外に排出される。上述したように、２４時間換気モード（常時換気モード）におけるファンＦ１の風量は、通常の換気モードにおけるファンＦ１の風量よりも低い値に設定されている。また、上述したように、２４時間換気運転は、ユーザーによって２４時間換気モードが解除された時、および、例えば停電などの非常時を除き、継続される。
【００４０】
一方、ステップ１０７では、上述したステップ１０１と同様に、暖房運転が開始される。詳細には、図２に示すように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱され、吹出口１４を介して室内に吹き出される。
【００４１】
次いで、ステップ１０８では、ユーザーに対して、暖房運転時間の設定が要求される。ユーザーが設定しない場合には、１時間の暖房運転時間が設定される。上述したステップ１０２とは異なり、このステップ１０８では、ユーザーは、１０分から１２時間５０分の任意の暖房運転時間を設定可能である。つまり、ユーザーが設定することができる最大の暖房運転時間は１２時間５０分になっている。
【００４２】
次いで、ステップ１０９では、ステップ１０７において暖房運転が開始されてから、ステップ１０８において設定された暖房運転時間が経過したか否かが判断される。ＹＥＳの場合にはステップ１１１に進み、ＮＯの場合にはステップ１１０に進む。ステップ１１０では、ユーザーによって「暖房運転」ボタンが再び押されたか否か、つまり、暖房運転を停止すべき指示がユーザーから出されたか否かが判断される。ＹＥＳの場合にはステップ１１１に進み、ＮＯの場合にはステップ１０９に戻る。ステップ１１１では、暖房運転が停止される。
【００４３】
つまり、第１の実施形態の空調装置では、２４時間換気モード（常時換気モード）が選択されている時に暖房モードが選択された場合には、ステップ１０２において、暖房運転時間を１時間０１分以上の値に設定するのが禁止される。つまり、２４時間換気モード（常時換気モード）が選択されている時に暖房モードが選択された場合には、長時間にわたって換気運転を中断して暖房運転が行われるのが禁止される。
【００４４】
換言すれば、第１の実施形態の空調装置では、２４時間換気モード（常時換気モード）が選択されている時に設定可能な最大の暖房運転時間、すなわち、ステップ１０２において設定可能な最大の暖房運転時間（１時間）が、２４時間換気モード（常時換気モード）が選択されていない時に設定可能な最大の暖房運転時間、すなわち、ステップ１０８において設定可能な最大の暖房運転時間（１２時間５０分）よりも短くされている。つまり、２４時間換気モード（常時換気モード）が選択されている時に暖房モードが選択された場合には、２４時間換気モード（常時換気モード）が選択されていない時に暖房モードが選択された場合よりも短い時間しか暖房運転を行うために換気運転を中断できないように構成されている。
【００４５】
そのため、第１の実施形態の空調装置によれば、２４時間換気モード（常時換気モード）が選択されているにもかかわらず、長時間にわたって換気運転を中断して暖房運転が行われるのを回避することができる。すなわち、２４時間換気モード（常時換気モード）が選択されているにもかかわらず、長時間にわたって換気運転を中断して暖房運転が行われるのに伴って換気が不十分になってしまうのを回避することができる。
【００４６】
以下、本発明の空調装置の第２の実施形態について説明する。図４は本発明の空調装置の第２の実施形態の断面図、図５は図４に示した空調装置を左側から見た断面図、図６は図４に示した空調装置を上側から見た図である。図４〜図６において、１１０は空調装置、１１１は空調装置１１０の一部を構成する換気ユニット、１１８は空調装置１１０が適用された室内の空気を換気ユニット１１１内に吸い込むための吸気口である。１１７は換気ユニット１１１内に吸い込まれた空気を室外に排出するための排気口である。１１５は室内の空気を換気ユニット１１１内に吸い込み、その空気を室外に排出するための換気用ファンである。Ｍ１は換気用ファン１１５を駆動するためのモータである。１３０は室内の空気を吸気口１１８に供給するための通路、１３０Ａは通路１３０の入口開口、１３１は換気用ファン１１５によって換気される空気量を調整するために通路１３０内に配置されたシャッタである。
【００４７】
１２０は空調装置１１０の一部を構成する循環ユニット、１２３Ｃは空調装置１１０が適用された室内の空気を循環ユニット１２０内に吸い込むための吸気口である。１２１Ａは循環ユニット１２０内に吸い込まれた空気を室内に吹き出して循環させるための吹出口である。１２４は室内の空気を循環ユニット１２０内に吸い込み、その空気を室内に吹き出して循環させるための循環用ファンである。Ｍ２は循環用ファン１２４を駆動するためのモータである。１２６は室内に吹き出して循環せしめられる空気を加熱するためのヒータである。
【００４８】
第２の実施形態の空調装置では、室内の空気を加熱して循環させる暖房モードが設けられている。例えばユーザーにより、暖房モードが選択されると、暖房運転が開始される。詳細には、図４に示すように、循環用ファン１２４により吸気口１２３Ｃを介して循環ユニット１２０内に吸い込まれた空気が、ヒータ１２６によって加熱され、室内に吹き出される。ユーザーに対しては、運転時間の設定が要求される。ユーザーが設定しない場合には、例えば１時間の運転時間が設定される。ユーザーは、例えば１０分から１２時間５０分の任意の運転時間を設定可能である。次いで、設定された運転時間が経過すると、暖房運転が停止される。また、設定された運転時間が経過する前においても、ユーザーの指示により、暖房運転を停止させることができる。
【００４９】
更に、第２の実施形態の空調装置では、室内の空気を室外に排出する換気モードが設けられている。例えばユーザーにより、換気モードが選択されると、換気運転が開始される。詳細には、図５に示すように、シャッタ１３１が破線で示す位置に配置される。次いで、図４および図５に示すように、換気用ファン１１５により、入口開口１３０Ａ、通路１３０、および吸気口１１８を介して換気ユニット１１１内に吸い込まれた空気が、排気口１１７を介して室外に排出される。ユーザーに対しては、運転時間の設定が要求される。ユーザーが設定しない場合には、例えば１時間の運転時間が設定される。ユーザーは、例えば１０分から１２時間５０分の任意の運転時間を設定可能である。次いで、設定された運転時間が経過すると、換気運転が停止される。また、設定された運転時間が経過する前においても、ユーザーの指示により、換気運転を停止させることができる。
【００５０】
更に、第２の実施形態の空調装置では、室内の空気の一部を加熱して循環させつつ、室内の空気の一部を室外に排出する乾燥モードが設けられている。例えばユーザーにより、乾燥モードが選択されると、乾燥運転が開始される。詳細には、図５に示すように、シャッタ１３１が破線で示す位置に配置される。次いで、図４に示すように、循環用ファン１２４により吸気口１２３Ｃを介して循環ユニット１２０内に吸い込まれた室内の空気の一部が、ヒータ１２６によって加熱され、室内に吹き出される。更に、図４および図５に示すように、換気用ファン１１５により、入口開口１３０Ａ、通路１３０、および吸気口１１８を介して換気ユニット１１１内に吸い込まれた室内の空気の一部が、排気口１１７を介して室外に排出される。ユーザーに対しては、運転時間の設定が要求される。ユーザーが設定しない場合には、例えば３時間の運転時間が設定される。ユーザーは、例えば１０分から１２時間５０分の任意の運転時間を設定可能である。次いで、設定された運転時間が経過すると、乾燥運転が停止される。また、設定された運転時間が経過する前においても、ユーザーの指示により、乾燥運転を停止させることができる。
【００５１】
更に、第２の実施形態の空調装置では、室内の空気を加熱することなく少量を排気しながら循環させる涼風モードが設けられている。例えばユーザーにより、涼風モードが選択されると、涼風運転が開始される。詳細には、図４に示すように、循環用ファン１２４により吸気口１２３Ｃを介して循環ユニット１２０内に吸い込まれた空気が、ヒータ１２６によって加熱されることなく、室内に吹き出される。ユーザーに対しては、運転時間の設定が要求される。ユーザーが設定しない場合には、例えば３時間の運転時間が設定される。ユーザーは、例えば１０分から１２時間５０分の任意の運転時間を設定可能である。次いで、設定された運転時間が経過すると、涼風運転が停止される。また、設定された運転時間が経過する前においても、ユーザーの指示により、涼風運転を停止させることができる。
【００５２】
更に、第２の実施形態の空調装置では、上述した暖房モード、換気モード、乾燥モード、および涼風モードの他に、室内の空気を室外に排出し続ける２４時間換気モード（常時換気モード）が設けられている。例えばユーザーにより、２４時間換気モード（常時換気モード）が選択されると、２４時間換気運転が開始される。詳細には、上述した換気モードと同様に、図５に示すように、シャッタ１３１が破線で示す位置に配置される。次いで、図４および図５に示すように、換気用ファン１１５により、入口開口１３０Ａ、通路１３０、および吸気口１１８を介して換気ユニット１１１内に吸い込まれた空気が、排気口１１７を介して室外に排出される。２４時間換気モード（常時換気モード）における換気用ファン１１５の風量は、上述した換気モードにおける換気用ファン１１５の風量よりも低い値に設定されている。
【００５３】
第２の実施形態では、上述したように２４時間換気モード（常時換気モード）における換気用ファン１１５の風量が、通常の換気モードにおける換気用ファン１１５の風量よりも低い値に設定されているが、他の実施形態では、２４時間換気モード（常時換気モード）における換気用ファン１１５の風量と通常の換気モードにおける換気用ファン１１５の風量とを等しくすることも可能であり、２４時間換気モード（常時換気モード）における換気用ファン１１５の風量を通常の換気モードにおける換気用ファン１１５の風量よりも多くすることも可能である。
【００５４】
第２の実施形態の空調装置では、ユーザーによって２４時間換気モード（常時換気モード）が選択された時に、ユーザーに対して、運転時間の設定は要求されない。２４時間換気運転は、ユーザーによって２４時間換気モードが解除された時、および、例えば停電などの非常時を除き、継続される。
【００５５】
上述したように、２４時間換気モード（常時換気モード）が選択されると、２４時間換気運転が継続して行われるため、２４時間換気モード（常時換気モード）と、他のモードとが競合して選択される場合が考えられる。
【００５６】
第２の実施形態の空調装置では、２４時間換気モード（常時換気モード）と暖房モードとが競合して選択された場合に、図３に示した第１の実施形態の制御方法と同様の制御方法が実施される。そのため、第２の実施形態の空調装置によれば、上述した第１の実施形態の空調装置とほぼ同様の効果を奏することができる。
【００５７】
以下、本発明の空調装置の第３の実施形態について説明する。第３の実施形態の空調装置は、図１および図２に示した第１の実施形態の空調装置と同様に構成されている。第３の実施形態の空調装置では、上述した第１の実施形態の空調装置と同様に、暖房モード、換気モード、乾燥モード、涼風モード、および２４時間換気モード（常時換気モード）が設けられている。
【００５８】
図７は第３の実施形態の空調装置において２４時間換気モード（常時換気モード）と暖房モードとが競合して選択される場合の制御方法を示したフローチャートである。
【００５９】
図７に示すように、このルーチンは、例えばユーザーによって「暖房運転」ボタンが押され、暖房モードが選択されると、開始する。ステップ２０１では、暖房運転が開始される。詳細には、図２に示したように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱され、吹出口１４を介して室内に吹き出される。
【００６０】
次いで、ステップ２０２では、ユーザーに対して、暖房運転時間の設定が要求される。ユーザーが設定しない場合には、例えば１時間の暖房運転時間が設定される。このステップ２０２では、ユーザーは、例えば１０分から１２時間５０分の任意の暖房運転時間を設定可能である。
【００６１】
次いで、ステップ２０３では、ステップ２０２が実行された以降に「２４時間換気運転」ボタンが押されたか否か、すなわち、ユーザーにより、暖房モードが選択されている時に２４時間換気モード（常時換気モード）が選択されたか否かが判断される。ＮＯの場合、つまり、２４時間換気モード（常時換気モード）が選択されていない場合には、ステップ２０４に進み、上述したような通常の暖房運転が行われる。一方、ＹＥＳの場合、つまり、暖房モードが選択されている時に２４時間換気モード（常時換気モード）が選択された場合には、ステップ２０７に進む。
【００６２】
ステップ２０４では、ステップ２０１において暖房運転が開始されてから、ステップ２０２において設定された暖房運転時間が経過したか否かが判断される。ＹＥＳの場合にはステップ２０６に進み、ＮＯの場合にはステップ２０５に進む。ステップ２０５では、ユーザーによって「暖房運転」ボタンが再び押されたか否か、つまり、暖房運転を停止すべき指示がユーザーから出されたか否かが判断される。ＹＥＳの場合にはステップ２０６に進み、ＮＯの場合にはステップ２０３に戻る。ステップ２０６では、暖房運転が停止される。
【００６３】
ステップ２０７では、ステップ２０２において１時間０１分以上の暖房運転時間が設定されている場合には、その暖房運転時間が１時間に強制的に短縮される。一方、ステップ２０２において１時間以内の暖房運転時間が設定されている場合には、その暖房運転時間がそのまま維持される。
【００６４】
次いで、ステップ２０８では、ステップ２０２において１時間０１分以上の暖房運転時間が設定された場合には、ステップ２０１において暖房運転が開始されてから１時間経過した時に暖房運転が停止される。一方、ステップ２０２において１時間以内の暖房運転時間が設定された場合には、ステップ２０１において暖房運転が開始されてから、その設定された暖房運転時間が経過した時に暖房運転が停止される。
【００６５】
次いで、ステップ２０９では、２４時間換気運転が開始される。詳細には、ダンパＤが破線で示す位置（Ｄ’）に配置される（図２参照）。次いで、ファンＦ１により吸気口１３を介して空調装置１０内に吸い込まれた空気が、破線で示す位置（Ｄ’）に配置されたダンパＤによって案内され、排気口１５を介して室外に排出される。上述したように、２４時間換気モード（常時換気モード）におけるファンＦ１の風量は、通常の換気モードにおけるファンＦ１の風量よりも低い値に設定されている。また、上述したように、２４時間換気運転は、ユーザーによって２４時間換気モードが解除された時、および、例えば停電などの非常時を除き、継続される。
【００６６】
すなわち、第３の実施形態の空調装置では、暖房モードが選択されている時に２４時間換気モード（常時換気モード）が選択された場合、つまり、図７のステップ２０２が実行された以降に２４時間換気モード（常時換気モード）が選択された場合には、ステップ２０７において、ステップ２０２で設定された暖房運転時間が１時間に短縮される。すなわち、暖房モードが選択されている時に２４時間換気モード（常時換気モード）が選択された場合には、ステップ２０８において早期に暖房運転が終了され、ステップ２０９において２４時間換気運転が開始される。但し、上述したように、「２４時間換気運転」ボタンが押された時に、設定時間の残時間が１時間以内の場合には、そのまま残時間が継続される。
【００６７】
そのため、第３の実施形態の空調装置によれば、２４時間換気モード（常時換気モード）が選択されているにもかかわらず、長時間にわたって暖房運転が行われ、２４時間換気運転が開始されないのを回避することができる。すなわち、ステップ２０２が実行された以降に２４時間換気モード（常時換気モード）が選択されているにもかかわらず、長時間にわたって暖房運転が行われ、２４時間換気運転が開始されないのに伴って換気が不十分になってしまうのを回避することができる。
【００６８】
以下、本発明の空調装置の第４の実施形態について説明する。第４の実施形態の空調装置は、図４〜図６に示した第２の実施形態の空調装置と同様に構成されている。第４の実施形態の空調装置では、上述した第２の実施形態の空調装置と同様に、暖房モード、換気モード、乾燥モード、涼風モード、および２４時間換気モード（常時換気モード）が設けられている。
【００６９】
第４の実施形態の空調装置では、２４時間換気モード（常時換気モード）と暖房モードとが競合して選択された場合に、図７に示した第３の実施形態の制御方法と同様の制御方法が実施される。そのため、第４の実施形態の空調装置によれば、上述した第３の実施形態の空調装置とほぼ同様の効果を奏することができる。
【００７０】
以下、本発明の空調装置の第５の実施形態について説明する。第５の実施形態の空調装置は、図１および図２に示した第１の実施形態の空調装置と同様に構成されている。第５の実施形態の空調装置では、上述した第１の実施形態の空調装置と同様に、暖房モード、換気モード、乾燥モード、涼風モード、および２４時間換気モード（常時換気モード）が設けられている。
【００７１】
図８および図９は第５の実施形態の空調装置において２４時間換気モード（常時換気モード）と暖房モードとが競合して選択される場合の制御方法を示したフローチャートである。
【００７２】
図８および図９に示すように、このルーチンは、例えばユーザーによって「暖房運転」ボタンが押され、暖房モードが選択されると、開始する。ステップ２０１では、暖房運転が開始される。詳細には、図２に示したように、ダンパＤが実線で示す位置（Ｄ）に配置される。次いで、ファンＦ１により吸気口１３を介して空調装置１０内に吸い込まれた空気が、ダンパＤによって案内され、ヒータＨによって加熱され、吹出口１４を介して室内に吹き出される。
【００７３】
次いで、ステップ２０２では、ユーザーに対して、暖房運転時間の設定が要求される。ユーザーが設定しない場合には、例えば１時間の暖房運転時間が設定される。このステップ２０２では、ユーザーは、例えば１０分から１２時間５０分の任意の暖房運転時間を設定可能である。
【００７４】
次いで、ステップ２０３では、ステップ２０２が実行された以降に「２４時間換気運転」ボタンが押されたか否か、すなわち、ユーザーにより、暖房モードが選択されている時に２４時間換気モード（常時換気モード）が選択されたか否かが判断される。ＮＯの場合、つまり、２４時間換気モード（常時換気モード）が選択されていない場合には、ステップ２０４に進み、上述したような通常の暖房運転が行われる。一方、ＹＥＳの場合、つまり、暖房モードが選択されている時に２４時間換気モード（常時換気モード）が選択された場合には、ステップ３００に進む。
【００７５】
ステップ２０４では、ステップ２０１において暖房運転が開始されてから、ステップ２０２において設定された暖房運転時間が経過したか否かが判断される。ＹＥＳの場合にはステップ２０６に進み、ＮＯの場合にはステップ２０５に進む。ステップ２０５では、ユーザーによって「暖房運転」ボタンが再び押されたか否か、つまり、暖房運転を停止すべき指示がユーザーから出されたか否かが判断される。ＹＥＳの場合にはステップ２０６に進み、ＮＯの場合にはステップ２０３に戻る。ステップ２０６では、暖房運転が停止される。
【００７６】
ステップ３００では、暖房切タイマーが終了したか否か、つまり、ステップ２０１において暖房運転が開始されてから、ステップ２０２で設定された暖房運転時間が経過したか否かが判断される。ＹＥＳの場合にはステップ３０８に進み、ＮＯの場合にはステップ３０１に進む。ステップ３０１では、ステップ２０１において暖房運転が開始されてから１時間が経過したか否かが判断される。ＹＥＳの場合にはステップ３０２に進み、ＮＯの場合にはステップ３００に戻る。
【００７７】
ステップ３０２では、ステップ２０１において暖房運転が開始されてから、ステップ２０２において設定された暖房運転時間がまだ経過していないにもかかわらず、暖房運転が停止される。次いで、ステップ３０３において、通常の換気運転、あるいは、２４時間換気運転が開始される。
【００７８】
次いで、ステップ３０４では、暖房切タイマーが終了したか否か、つまり、ステップ２０１において暖房運転が開始されてから、ステップ２０２で設定された暖房運転時間が経過したか否かが判断される。ＹＥＳの場合にはステップ３０８に進み、ＮＯの場合にはステップ３０５に進む。ステップ３０５では、ステップ３０３において通常の換気運転または２４時間換気運転が開始されてから、例えば５分のような所定時間が経過したか否かが判断される。ＹＥＳの場合にはステップ３０６に進み、ＮＯの場合にはステップ３０４に戻る。
【００７９】
ステップ３０６では、ステップ３０３において開始された通常の換気運転または２４時間換気運転が停止され、次いで、ステップ３０７において、暖房運転が再開される。次いで、ステップ３００に戻る。
【００８０】
ステップ３０８では、２４時間換気運転が開始される。詳細には、ダンパＤが破線で示す位置（Ｄ’）に配置される（図２参照）。次いで、ファンＦ１により吸気口１３を介して空調装置１０内に吸い込まれた空気が、破線で示す位置（Ｄ’）に配置されたダンパＤによって案内され、排気口１５を介して室外に排出される。上述したように、２４時間換気モード（常時換気モード）におけるファンＦ１の風量は、通常の換気モードにおけるファンＦ１の風量よりも低い値に設定されている。また、上述したように、２４時間換気運転は、ユーザーによって２４時間換気モードが解除された時、および、例えば停電などの非常時を除き、継続される。
【００８１】
すなわち、第５の実施形態の空調装置では、暖房モードが選択されている時に２４時間換気モード（常時換気モード）が選択された場合、つまり、図８のステップ２０２が実行された以降に２４時間換気モード（常時換気モード）が選択された場合には、ステップ３０３からステップ３０６を実行することにより、２４時間換気モード（常時換気モード）が選択されない場合よりも暖房運転中の換気量が増加せしめられる。つまり、暖房モードが選択されている時に２４時間換気モード（常時換気モード）が選択された場合には、暖房運転中に、換気運転も合わせて実行される。すなわち、暖房モードが選択されている時に２４時間換気モード（常時換気モード）が選択された場合には、暖房運転中に、換気運転が間欠的に実行される。詳細には、ステップ２０１において暖房運転が開始されてから、ステップ２０２において設定された暖房運転時間がまだ経過していないにもかかわらず、ステップ３０２において暖房運転が停止され、次いで、ステップ３０３からステップ３０６において通常の換気運転、あるいは、２４時間換気運転が行われる。
【００８２】
そのため、第５の実施形態の空調装置によれば、２４時間換気モード（常時換気モード）が選択されているにもかかわらず、長時間にわたって暖房運転が行われ、換気運転が全く行われないのを回避することができる。すなわち、２４時間換気モード（常時換気モード）が選択されているにもかかわらず、長時間にわたって暖房運転が行われ、２４時間換気運転が開始されないのに伴って換気が不十分になってしまうのを回避することができる。
【００８３】
以下、本発明の空調装置の第６の実施形態について説明する。第６の実施形態の空調装置は、図４〜図６に示した第２の実施形態の空調装置と同様に構成されている。第６の実施形態の空調装置では、上述した第２の実施形態の空調装置と同様に、暖房モード、換気モード、乾燥モード、涼風モード、および２４時間換気モード（常時換気モード）が設けられている。
【００８４】
第６の実施形態の空調装置では、２４時間換気モード（常時換気モード）と暖房モードとが競合して選択された場合に、図８および図９に示した第５の実施形態の制御方法と同様の制御方法が実施される。そのため、第６の実施形態の空調装置によれば、上述した第５の実施形態の空調装置とほぼ同様の効果を奏することができる。
【００８５】
以下、本発明の空調装置の第７の実施形態について説明する。第７の実施形態の空調装置は、図１および図２に示した第１の実施形態の空調装置と同様に構成されている。第７の実施形態の空調装置では、上述した第１の実施形態の空調装置と同様に、暖房モード、換気モード、乾燥モード、涼風モード、および２４時間換気モード（常時換気モード）が設けられている。
【００８６】
第７の実施形態の空調装置において２４時間換気モード（常時換気モード）と暖房モードとが競合して選択される場合には、後述する点を除き、図８および図９に示した制御方法とほぼ同様の制御方法が実行される。
【００８７】
暖房モードが選択されている時に２４時間換気モード（常時換気モード）が選択された場合、第５の実施形態の空調装置では、暖房運転中に、換気運転が間欠的に実行されるが、第７の実施形態の空調装置では、暖房運転中に、室内の空気の一部が室外に排出される、つまり、上述した乾燥運転が実行される。
【００８８】
そのため、第７の実施形態の空調装置によっても、２４時間換気モード（常時換気モード）が選択されているにもかかわらず、長時間にわたって暖房運転が行われ、換気運転が全く行われないのを回避することができる。すなわち、常時換気モードが選択されているにもかかわらず、長時間にわたって暖房運転が行われ、換気運転が開始されないのに伴って換気が不十分になってしまうのを回避することができる。
【００８９】
以下、本発明の空調装置の第８の実施形態について説明する。第８の実施形態の空調装置は、図４〜図６に示した第２の実施形態の空調装置と同様に構成されている。第８の実施形態の空調装置では、上述した第２の実施形態の空調装置と同様に、暖房モード、換気モード、乾燥モード、涼風モード、および２４時間換気モード（常時換気モード）が設けられている。
【００９０】
第８の実施形態の空調装置では、２４時間換気モード（常時換気モード）と暖房モードとが競合して選択された場合に、上述した第７の実施形態の制御方法と同様の制御方法が実施される。そのため、第８の実施形態の空調装置によれば、上述した第７の実施形態の空調装置とほぼ同様の効果を奏することができる。
【００９１】
【発明の効果】
請求項１および２に記載の発明によれば、常時換気モードが選択されているにもかかわらず、長時間にわたって換気運転を中断して暖房運転が行われるのに伴って換気が不十分になってしまうのを回避することができる。
【００９２】
請求項３〜６に記載の発明によれば、常時換気モードが選択されているにもかかわらず、長時間にわたって暖房運転が行われ、換気運転が開始されないのに伴って換気が不十分になってしまうのを回避することができる。
【図面の簡単な説明】
【図１】本発明の空調装置の第１の実施形態の概略斜視図である。
【図２】図１に示した空調装置の断面図である。
【図３】第１の実施形態の空調装置において２４時間換気モード（常時換気モード）と暖房モードとが競合して選択される場合の制御方法を示したフローチャートである。
【図４】本発明の空調装置の第２の実施形態の断面図である。
【図５】図４に示した空調装置を左側から見た断面図である。
【図６】図４に示した空調装置を上側から見た図である。
【図７】第３の実施形態の空調装置において２４時間換気モード（常時換気モード）と暖房モードとが競合して選択される場合の制御方法を示したフローチャートである。
【図８】第５の実施形態の空調装置において２４時間換気モード（常時換気モード）と暖房モードとが競合して選択される場合の制御方法を示したフローチャートである。
【図９】第５の実施形態の空調装置において２４時間換気モード（常時換気モード）と暖房モードとが競合して選択される場合の制御方法を示したフローチャートである。
【符号の説明】
１０  空調装置
１３  吸気口
１４  吹出口
１５  排気口
Ｆ１  ファン
Ｄ  ダンパ
【図１】
2004353931.tif 000003
【図２】
2004353931.tif 000004
【図３】
2004353931.tif 000005
【図４】
2004353931.tif 000006
【図５】
2004353931.tif 000007
【図６】
2004353931.tif 000008
【図７】
2004353931.tif 000009
【図８】
2004353931.tif 000010
【図９】
2004353931.tif 000011